(57)【特許請求の範囲】
【請求項１】
細長いプリント基板と、
前記プリント基板の長手方向端部側に設けられ、コネクタと電気的に接続可能な電気的接続部と、
前記プリント基板を配置する配置面を有し、前記プリント基板を収納する基板ホルダと、
前記基板ホルダの内側における前記電気的接続部の近傍で、且つ前記プリント基板を介して前記配置面に対向する位置に設けられ、前記コネクタの取り付けによって前記電気的接続部に力が加わった際に前記電気的接続部の近傍に接し前記プリント基板の反りを規制する基板押さえ部と、
を備える基板モジュール。
【請求項２】
電気的接続部は、前記プリント基板の長手方向に対して直角方向にコネクタが着脱可能とすることを特徴とする請求項１に記載の基板モジュール。
【請求項３】
前記プリント基板は、長手方向の第一及び第二の辺のうち、第二の辺が切り欠かれた基板側取付部を有し、
前記基板ホルダは、前記プリント基板を取り付ける際、前記プリント基板の実装面に接触して、前記プリント基板の第一の辺を保持する第一の基板保持部および、前記第一の基板保持部で前記プリント基板の第一の辺を保持した後に、前記基板側取付部を挿通させるとともに、前記基板側取付部を挿通後、前記プリント基板を長手方向にスライドしたとき、前記プリント基板の実装面に接触して、前記プリント基板の第二の辺を保持する第二の基板保持部を備えることを特徴とする請求項１または請求項２に記載の基板モジュール。
【請求項４】
前記基板ホルダは、長手方向へ前記プリント基板がスライドするのを規制するスライド保持部を備えることを特徴とする請求項３に記載の基板モジュール。
【請求項５】
長手方向の第一及び第二の辺のうち、第二の辺が切り欠かれた基板側取付部を有する細長いプリント基板と、
前記プリント基板の実装面に接触して、前記プリント基板の第一の辺を保持する第一の基板保持部および、前記第一の基板保持部で前記プリント基板の第一の辺を保持した後に、前記基板側取付部を挿通させるとともに、前記基板側取付部を挿通後、前記プリント基板を長手方向にスライドしたとき、前記プリント基板の実装面に接触して前記プリント基板の第二の辺を保持する第二の基板保持部、長手方向へ前記プリント基板がスライドするのを規制するスライド保持部、を有する前記プリント基板を収納する基板ホルダと、
を備えることを特徴とする基板モジュール。
【請求項６】
前記プリント基板は、前記スライド保持部に係合する係合部を有することを特徴とする請求項４または請求項５に記載の基板モジュール。
【請求項７】
前記基板ホルダは、断面形状がＬ字形状をなし、このＬ字形状の内側に前記プリント基板が収納され、外側の一部または全部が意匠面であることを特徴とする請求項１〜請求項６のいずれかに記載の基板モジュール。
【請求項８】
請求項１〜請求項７のいずれかに記載の基板モジュールと、
前記基板モジュールが着脱可能に取り付けられる機器本体と、を備えることを特徴とする電子機器。
【請求項９】
ＬＥＤモジュールと、
前記ＬＥＤモジュールの光によって表示される表示部と、
前記基板モジュールと前記表示部が着脱可能に取り付けられる機器本体と、を備える表示装置であって、
前記ＬＥＤモジュールは、
細長いプリント基板と、
このプリント基板の長手方向端部側に設けられ、コネクタと電気的に接続可能な電気的接続部と、
前記プリント基板に実装されるＬＥＤと、
前記プリント基板を配置する配置面を有し、前記プリント基板を収納するランプホルダと、
前記ランプホルダの内側における前記電気的接続部の近傍で、且つ前記プリント基板を介して前記配置面に対向する位置に設けられ、前記コネクタの取り付けによって前記電気的接続部に力が加わった際に前記電気的接続部の近傍に接し前記プリント基板の反りを規制する基板押さえ部と、
を備えることを特徴とする表示装置。
【請求項１０】
ＬＥＤモジュールと、
前記ＬＥＤモジュールの光によって表示される表示部と、
前記基板モジュールと前記表示部が着脱可能に取り付けられる機器本体と、を備える表示装置であって、
前記ＬＥＤモジュールは、
長手方向の第一及び第二の辺のうち、第二の辺が切り欠かれた基板側取付部を有する細長いプリント基板と、
前記プリント基板に実装されるＬＥＤと、
前記プリント基板の実装面に接触して、前記プリント基板の第一の辺を保持する第一の基板保持部および前記第一の基板保持部で前記プリント基板の第一の辺を保持した後に、前記基板側取付部を挿通させるとともに、前記基板側取付部を挿通後、前記プリント基板を長手方向にスライドしたとき、前記プリント基板の実装面に接触して前記プリント基板の第二の辺を保持する第二の基板保持部、長手方向へ前記プリント基板がスライドするのを規制するスライド保持部、を有する前記プリント基板を収納するランプホルダと、
を備えることを特徴とする表示装置。
【発明の詳細な説明】
【技術分野】
【０００１】
本発明は、例えば、表示をするための表示灯に用いられる基板モジュールに関するものである。
【背景技術】
【０００２】
ＬＥＤおよびＬＥＤを実装したＬＥＤ基板をネジなどの締結部材を用いずにランプホルダに保持するＬＥＤモジュールの構造がある。（例えば、特許文献１参照。）
【先行技術文献】
【特許文献】
【０００３】
【特許文献１】特開２００９−１０４９６３号公報（段落「００２９」、図１参照。）
【発明の概要】
【発明が解決しようとする課題】
【０００４】
しかしながら、ランプホルダに配設された取付部はＬＥＤを実装した基板の板厚方向をＬＥＤの実装面側より保持する構造のため、ＬＥＤを実装した基板の背面側および側面側が露出する。
【０００５】
そのため、ＬＥＤ基板に直接触れた際に基板を変形および破損させる方向に力を加えることが可能となっていた。
【０００６】
また、ＬＥＤ基板が露出しているため、器具に搭載する際はＬＥＤモジュールを覆う部品が必要となっていた。
【０００７】
本発明は、ランプホルダにプリント基板を取り付けた後、電気的接続部にコネクタなどを取り付ける際、プリント基板にストレスがかかるのを防止する。
【発明の効果】
【０００８】
本発明によれば、電気的接続部にコネクタを着脱する際、プリント基板にストレスがかかるのを防止することができる。
【図面の簡単な説明】
【０００９】
【図１】実施の形態１の誘導灯を示す斜視図である。
【図２】図１に示す誘導灯の分解斜視図である。
【図３】実施の形態１のＬＥＤモジュールを示す斜視図である。
【図４】図３に示すＬＥＤモジュールの分解斜視図である。
【図５】実施の形態１のＬＥＤモジュールの組立工程を示す組立図である。
【図６】実施の形態１の他の誘導灯を示す斜視図である。
【図７】実施の形態２のＬＥＤモジュールの分解斜視図である。
【図８】実施の形態２のＬＥＤモジュールの組立工程を示す組立図である。
【発明を実施するための形態】
【００１０】
実施の形態１．
図１は、実施の形態１を示す誘導灯の斜視図であり、図２は、図１に示す誘導灯の分解斜視図である。
【００１１】
誘導灯１０００は、機器本体１００と、この機器本体１００に取り付けられる表示部２００と、この表示部２００の一面側に接するように、機器本体１００に取り付けられるＬＥＤモジュール３００（以下、基板モジュールともいう。）と、を備える。
【００１２】
機器本体１００は、一面が開口する開口部を有する箱状のケース１１０と、この機器本体１００の上枠部などを補強する補強金具１２０と、ケース１１０の内側に取り付けられる電装部品１３０と、を備える。
【００１３】
電装部品１３０は、例えば、ＬＥＤモジュール３００に電力を供給する点灯装置１３１と、外部からの電線が接続され、点灯装置１３１に電線で接続される電源端子台１３２と、外部からの電力供給があるときは、点灯装置１３１からの電力供給によって充電され、外部からの電力供給がないときは、点灯装置１３１に電力供給する電池１３３と、点灯装置１３１に点検指示をする点検用操作部１３４と、から構成される。
【００１４】
なお、点灯装置１３１と電源端子台１３２は、電線を用いずに電極ピンをソケットに直接差し込むようにして、電気的に接続してもよい。
【００１５】
点灯装置１３１は、通常時は外部から電力の供給を受けて、後述するＬＥＤ３２１を点灯させるとともに、電池１３３の充電を行う。また、点灯装置１３１は、停電等により電力の供給が受けられない場合は、電池１３３より電力の供給を受けＬＥＤ３２１を点灯させる。また、点灯装置１３１は、点検用操作部１３４が操作され、点検信号を受けた場合には、規定時間、電池１３３によりＬＥＤ３２１を点灯し、電池１３３の状態（正常であるか、寿命であるかなど）を判別する機能を有する。
【００１６】
表示部２００は、表示板ケース２１０と、この表示板ケース２１０に収納される導光板２２０と、この導光板２２０の前面に収納される表示板２３０とを備える。
【００１７】
なお、図示しないが、導光板２２０と表示板２３０との間には、光学シート２４０を備えており、この光学シート２４０によって、導光板２２０から表示板２３０に出射される光が、ほぼ均一な輝度となるように、光学系を制御するものである。
【００１８】
ＬＥＤモジュール３００（ＬＥＤ３２１）から発せられる光は、導光体２２０に入射する。
【００１９】
導光体２２０は、ＬＥＤモジュール３００の点光源を面光源に変換するために、少なくとも１つの面にシボ加工などの微細な凹凸、もしくはプリズム加工などの光制御手段を有する。
【００２０】
このように、ＬＥＤモジュール３００が発する光は、導光体２２０に入射され、導光板２２０の光制御手段によって、反射、拡散された光が出射面から照射される。このとき、導光板２２０の出射面から照射される光は、ほぼ均一な輝度となっており、ほぼ面光源と見なせる。
【００２１】
表示板２３０は、任意の図形が表示されており、例えば、消防法（平成１１年消防庁告示第二号第五（六））に規定された誘導灯の表示や、行先表示、などが表示されている。
【００２２】
このように、導光板２２０によって面光源に変換された後、導光体２２０の前面に配設された表示板２３０に表示されている任意の図形が発光する。
【００２３】
図３は、図１に示す誘導灯のＬＥＤモジュールの斜視図であり、図４は、図３に示すＬＥＤモジュールの分解斜視図である。
【００２４】
ＬＥＤモジュール３００は、断面がＬ字状をなすランプホルダ３１０（以下、基板ホルダともいう。）と、このランプホルダ３１０の内側に取り付けられるＬＥＤ基板３２０（以下、電子機器基板ともいう。）と、を備える。
【００２５】
ランプホルダ３１０は、ＬＥＤ基板３２０を取り付ける為の第一のランプホルダ側取付部３１１ａ（以下、第一の基板保持部ともいう。）、第二のランプホルダ側取付部３１１ｂ（以下、第二の基板保持部ともいう。）、基板押さえ片３１２（以下、基板押さえ部ともいう。）および基板位置決め用突起部３１３（以下、スライド保持部ともいう。）、電気的接続部用切欠部３１４を有する。
【００２６】
また、ランプホルダ３１０は、Ｌ字状に形成された外側に、意匠面（化粧面）が形成されている。このランプホルダ３１０の意匠面は、少なくとも、機器本体１００に取り付けられたときに、表示板２３０の表示面側と同じ面側に形成される。
【００２７】
また、ランプホルダ３１０は、合成樹脂で形成される。例えばＰＣ樹脂、ＰＣＡＢＳ樹脂、ＡＢＳ樹脂、ＡＳＡ樹脂などが用いられる。
【００２８】
なお、放熱性が要求される場合は、ランプホルダ３１０は、アルミなどの金属で構成されてもよい。ランプホルダ３１０を金属で構成した場合は、必要に応じてＬＥＤ基板３２０とランプホルダ３１０の間に絶縁板を配設する。
【００２９】
第一のランプホルダ側取付部３１１ａ、第二のランプホルダ側取付部３１１ｂは、それぞれ最低１つ以上からなり、複数箇所設けてもよい。
【００３０】
基板押さえ片３１２は、ＬＥＤ基板３２０の端部側を挟み込むように押さえるため、ランプホルダ３１０の端部側に配設される。
【００３１】
基板位置決め用突起部３１３は、最低１つ以上からなり、複数箇所設けてもよい。
【００３２】
電気的接続部用切欠部３１４は、ＬＥＤ基板３２０にコネクタなどを接続するときに、引っかからないように、ランプホルダ３１０の一部（ＬＥＤ基板３２０の端部近傍の位置）を切欠いている。
【００３３】
ＬＥＤ基板３２０は、９個のＬＥＤ３２１と、このＬＥＤ３２１が実装されるプリント基板３２２と、このプリント基板３２２に実装され、点灯装置１３１から引き出される電線（オス形コネクタ、プラグ）に接続する電気的接続部３２３と、を備える。
【００３４】
プリント基板３２２は、細長いＬ字状をなし、長手方向の実装面にＬＥＤ３２１が実装され、Ｌ字状の一端側（「Ｌ」の曲がり部側）に電気的接続部３２３が実装または形成される。プリント基板３２２の材質は、紙フェノール、ガラスエポキシ樹脂、アルミなどが用いられる。
【００３５】
また、プリント基板３２２は、長手方向の一辺に、ランプホルダ３１０に取りつけるための基板側取付部３２２ａと、長手方向の一端側近傍に開けられた取付用穴３２２ｂ（以下、係合部ともいう。）と、を有する。
【００３６】
基板側取付部３２２ａは、ランプホルダ３１０に配設された第二のランプホルダ側取付部３１１ｂに対応する位置に設けられる。
【００３７】
また、基板側取付部３２２ａは、少なくとも１つ以上からなり、複数箇所設けてもよい。
【００３８】
取付用穴３２２ｂは、基板位置決め用突起部３１３に対応する箇所に設けられている。
【００３９】
電気的接続部３２３は、ＬＥＤ基板３２０をランプホルダ３１０に取り付けたとき、電気的接続部用切欠部３１４に対応する位置にくるように、プリント基板３２２に実装されている。
【００４０】
この電気的接続部３２３は、メス形コネクタ（レセプタクル）である。
なお、電気的接続部は、プリント基板に実装されるレセプタクルのほか、プリント基板３２２の配線パターン部が剥き出されたランドのように基板上に形成されてもよい。このように電気的接続部が、基板上に形成されたランド（配線パターン部の剥き出し部）であった場合は、このランドの部分にメス形コネクタ（ソケット）が取り付けられて、他の機器と電気的に接続される。
【００４１】
次に、ランプホルダにＬＥＤ基板を取り付ける組み立て方法について説明する。
図５は、本実施の形態のＬＥＤモジュールの組立工程を示す組立図であり、図５（ａ）は、ランプホルダにプリント基板を取り付ける前の状態を示す下面図であり、図５（ｂ）は、ランプホルダにプリント基板を取り付ける取付過程を示す下面図であり、図５（ｃ）は、ランプホルダにプリント基板を取り付けた後の状態を示す下面図である。
【００４２】
まず、ランプホルダ３１０のＬ字形状に折り曲げられた角部と、第一のランプホルダ側取付部３１１ａとの間に、ＬＥＤ基板３２０を短手方向に傾け、ＬＥＤ基板３２０の長手方向の他端をＡ方向にスライドさせるように挿入する。
【００４３】
次に、ＬＥＤ基板３２０を傾けた状態でＢ方向またはＣ方向に左右にずらして、基板側取付部３２２ａと第二のランプホルダ側取付部３１１ｂの位置が合うように調整し、その後、第二のランプホルダ側取付部３１１ｂを基板側取付部３２２ａに挿入し、ＬＥＤ基板３２０の裏面側（ＬＥＤ３２１が実装される実装面に対する裏面）をランプホルダ３１０に接触させる。
【００４４】
ＬＥＤ基板３２０の裏面側をランプホルダ３１０に接触させた状態で、Ｂ方向にスライドさせることにより、第二のランプホルダ側取付部３１１ｂの下にＬＥＤ基板３２０の長手方向の一辺が潜り込むとともに、ランプホルダ３１０の端部に設けられた基板押さえ片３１２の下にＬＥＤ基板３２０の長手方向の端部側が潜り込む。このとき、基板位置決め用突起部３１３が、取付用穴３２２ｂに嵌合し、ＬＥＤ基板３２０がＣ方向へスライドするのを規制する。
【００４５】
したがって、第一のランプホルダ側取付部３１１ａ、第二のランプホルダ側取付部３１１ｂ、及び、基板押さえ片３１２がＬＥＤ基板３２０の実装面に接触して抑えるので、ＬＥＤ基板３２０が、ランプホルダ３１０の下方向（ＬＥＤ基板実装面側方向）へ移動するのを規制する。
【００４６】
プリント基板３２２は、長手方向の一辺に基板取付部３２２ａと、取付用穴３１３を備え、ランプホルダ３１０は、第一のランプホルダ側取付部３１１ａと、第二のランプホルダ側取付部３１１ｂと、基板押さえ片３１２と、基板位置決め用突起部３１３とを備えたので、容易な作業でＬＥＤ３２１を実装したＬＥＤ基板３２０をランプホルダ３１０に保持するとともに、ランプホルダ３１０に保持した後は、ＬＥＤ基板３２０がランプホルダ３１０から容易に外れ難くすることができる。
【００４７】
また、ランプホルダ３１０の内側にＬＥＤ基板３２０を収納するようにしたので、ランプホルダ３１０の外表面を意匠面とすることができる。
【００４８】
また、基板側取付部３２２ａを設けることにより、ＬＥＤ基板３２０をランプホルダ３１０に取り付ける際に第二のランプホルダ側取付部３１１ｂと干渉することなく取り付けが可能となる。
【００４９】
したがって、一度基板位置決め用突起３１３が取付用穴３２２ｂに嵌合すると、ＬＥＤ基板３２０をスライド方向に移動させようとしても、基板位置決め用突起３１３が取付用穴３２２ｂに干渉し、スライド方向への移動が困難となる。よって、ＬＥＤ基板３２０は容易な作業のみで、ねじなどの締結部品を使用せずにランプホルダ３１０に固定することができ、ＬＥＤ基板３２０をランプホルダ３１０に固定した後は、容易に取り外すことができなくなる。
【００５０】
また、電気的接続部３２３がＬＥＤ基板３２０の端部に配設される場合は、基板押さえ片３１２を設けることにより、電気的接続部３２３にコネクタなどを取り付ける際に、電気的接続部３２３に力が加わっても、プリント基板３２２が破損する恐れがなくなる。
【００５１】
特に、電気的接続部３２３（ＬＥＤ基板３２０）に下方向（ＬＥＤ基板実装面側方向）への力が加わった場合、基板押さえ片３１２がないときは、第二のランプホルダ側取付部３１１ｂ（または第一のランプ側取付部３１１ａ）を支点にしてＬＥＤ基板３２０（プリント基板３２２）が反れ、最悪な場合、破損する恐れがあるが、基板押さえ片３１２によって、ＬＥＤ基板３２０（プリント基板３２２）が反れることがなくなり、プリント基板３２２が破損するのを防ぐことができる。
【００５２】
なお、第二のランプホルダ側取付部３１１ｂ（または第一のランプ側取付部３１１ａ）が複数ある場合は、２つの第二のランプホルダ側取付部３１１ｂ（または第一のランプ側取付部３１１ａ）の間となる位置に電気的接続部３２３を配置しても同様の効果が得られる。したがって、基板押さえ片３１２は、必要に応じて設ければよく、必ず設ける必要はない。
【００５３】
したがって、電気的接続部３１２をプリント基板３２２の端部に設けない場合は、基板押さえ片３１２は必ずしも設ける必要はなくなる。この場合、電気的接続部３２３と第二のランプホルダ側取付部３１１ｂ（または第一のランプ側取付部３１１ａ）の位置が離れている場合、プリント基板３２２が破損しやすくなってしまうので、電気的接続部３１２と第二のランプホルダ側取付部３１１ｂ（または第一のランプ側取付部３１１ａ）は近接していることが望ましい。
【００５４】
なお、本実施の形態では、誘導灯１０００について説明したが、誘導灯１０００に限らず、看板灯や案内灯などの表示装置（以下、電子機器ともいう。）に、ＬＥＤモジュール３００を用いてもよい。この場合、表示装置（電子機器）の電装部品１３０の個々の構成は、表示装置や電子機器の形態に応じて適宜選択されて構成され、例えば、電池１３３や点検用操作部１３４を備えなくてもよいし、他の電子部品を備えてもよい。
【００５５】
また、誘導灯１０００ａ（表示装置）は、図６に示すように、機器本体１００ａの両面に表示部２００と、ＬＥＤモジュール３００を備えてもよい。
【００５６】
両面用の誘導灯１０００ａ（表示装置）は、機器本体１００ａの開口面側に表用の表示部２００とＬＥＤモジュール３００が取り付けられるとともに、機器本体１００ａの裏面（開口面に対向する面）側に、裏用の表示部２００とＬＥＤモジュール３００が取り付けられる。
【００５７】
このように、誘導灯１０００ａ（表示装置）は、機器本体１００ａの両側面に表示部２００とＬＥＤモジュール３００を有するので、誘導灯１０００ａ（表示装置）の大きさを表示部２００（ＬＥＤモジュール３００）の厚みを増すのみで、両面の表示が可能となり、誘導灯１０００ａ（表示装置）の小型化が可能となる。
【００５８】
このように、ランプホルダ３１０にＬＥＤ基板３２０を保持した後にＬＥＤ基板３２０が変形および破損する方向に力が加わるのを防止することができる。
【００５９】
また、ランプホルダ３１０の少なくとも１側面を意匠（外郭）面とすることが可能なので、追加の意匠部品が不要とすることができる。
【００６０】
また、ＬＥＤ基板３２０をランプホルダ３１０に、容易に取り付けが可能であり、ＬＥＤ基板３２０をランプホルダ３１０に取り付け後は、ＬＥＤ基板３２０をランプホルダ３１０から容易に取り外しができない構造とすることができる。
【００６１】
本実施の形態では、ＬＥＤ基板にＬＥＤを９個実装する場合について説明したが、ＬＥＤ基板３２０に実装するＬＥＤ３２１の個数は、９個以外であっても構わない。
【００６２】
また、本実施の形態では、基板モジュールの一例として、ＬＥＤ基板３２０を備えるＬＥＤモジュール３００について説明したが、ＬＥＤ基板３２０を実装せずに、ＤＩＰスイッチなどの他の電子部品を備えた電子基板を実装する基板モジュールであっても構わない。
【００６３】
実施の形態２．
この実施の形態は、実施の形態１のプリント基板の形状が異なるものである。この実施の形態における誘導灯（表示装置）の構成は、実施の形態１と同様であり、実施の形態１のＬＥＤ基板３２０のみが異なるものであるため、実施の形態１と相違する構成について説明する。
【００６４】
図７は、本実施の形態を示すＬＥＤモジュールの分解斜視図である。
ＬＥＤモジュール３００ａは、ランプホルダ３１０と、このランプホルダ３１０に取り付けられるＬＥＤ基板３２０ａと、を備える。
【００６５】
ＬＥＤ基板３２０ａは、ＬＥＤ３２１と、このＬＥＤ３２１が実装されるプリント基板３２２ｃと、このプリント基板３２２ｃの長手方向の端部近傍に実装される電気的接続部３２３と、を備える。
【００６６】
プリント基板３２２ｃは、長手方向の両側辺に切り欠かれた、第一の基板側取付部３２２ａと第二の基板取付部３２２ｄとを備える。
【００６７】
次に、ランプホルダにＬＥＤ基板を取り付ける組み立て方法について説明する。
図８は、本実施の形態のＬＥＤモジュールの組立工程を示す組立図であり、図８（ａ）は、ランプホルダにプリント基板を取り付ける前の状態を示す下面図であり、図８（ｂ）は、ランプホルダにプリント基板を取り付ける取付過程を示す下面図であり、図８（ｃ）は、ランプホルダにプリント基板を取り付けた後の状態を示す下面図である。
【００６８】
まず、ランプホルダ３１０に設けられた第一のランプホルダ側取付部３１１ａに対応する位置に、ＬＥＤ基板３２０ａに設けられた第二の基板側取付部３２２ｄを、ランプホルダ３１０に設けられた第二のランプホルダ側取付部３１１ｂに対応する位置に、ＬＥＤ基板３２０ａに設けられた第一の基板側取付部３２２ａを合わせ、ＬＥＤ基板３２０ａをランプホルダ２に取り付ける。このとき、ＬＥＤ基板３２０ａの裏面側（ＬＥＤ３２１が実装される実装面に対する裏面）がランプホルダ３１０に接触する。
【００６９】
次に、ＬＥＤ基板３２０ａの裏面側をランプホルダ３１０に接触させた状態で、Ｂ方向にスライドさせることにより、第一のランプホルダ側取付部３１１ａ及び第二のランプホルダ側取付部３１１ｂの下にＬＥＤ基板３２０ａの長手方向の一辺が潜り込むとともに、ランプホルダ３１０の端部に設けられた基板押さえ片３１２の下にＬＥＤ基板３２０ａの長手方向の端部側が潜り込む。このとき、基板位置決め用突起部３１３が、取付用穴３２２ｂに嵌合し、ＬＥＤ基板３２０ａがＣ方向へスライドするのを規制する。
【００７０】
したがって、第一のランプホルダ側取付部３１１ａ、第二のランプホルダ側取付部３１１ｂ、及び、基板押さえ片３１２がＬＥＤ基板３２０ａの実装面に接触して抑えるので、ＬＥＤ基板３２０ａが、ランプホルダ３１０の下方向（ＬＥＤ基板実装面側方向）へ移動するのを規制する。
【００７１】
このように、ＬＥＤ基板３２０ａをランプホルダ３１０に取り付ける際、第一の基板側取付部３２２ａを第二のランプホルダ側取付部３１１ｂの位置に、第二の基板側取付部３２２ｄを第一のランプホルダ側取付部３１１ａの位置にして、ＬＥＤ基板３２０ａをランプホルダ３１０に単純に載せるように取り付ければよい。
【００７２】
したがって、一度基板位置決め用突起３１３が取付用穴３２２ｂに嵌合すると、ＬＥＤ基板３２０ａをスライド方向に移動させようとしても、基板位置決め用突起３１３が取付用穴３２２ｂに干渉し、スライド方向への移動が困難となる。よって、ＬＥＤ基板３２０ａは容易な作業のみで、ねじなどの締結部品を使用せずにランプホルダ３１０に固定することができ、ＬＥＤ基板３２０ａをランプホルダ３１０に固定した後は、容易に取り外すことができなくなる。
【００７３】
また、電気的接続部３２３がＬＥＤ基板３２０ａの端部に配設される場合は、基板押さえ片３１２を設けることにより、電気的接続部３２３にコネクタなどを取り付ける際に、電気的接続部３２３に力が加わっても、プリント基板３２２ｃが破損する恐れがなくなる。
【００７４】
特に、電気的接続部３２３（ＬＥＤ基板３２０ａ）に下方向（ＬＥＤ基板実装面側方向）への力が加わった場合、基板押さえ片３１２がないときは、第二のランプホルダ側取付部３１１ｂ（または第一のランプ側取付部３１１ａ）を支点にしてＬＥＤ基板３２０ａ（プリント基板３２２ｃ）が反れ、最悪な場合、破損する恐れがあるが、基板押さえ片３１２によって、ＬＥＤ基板３２０ａ（プリント基板３２２ｃ）が反れることがなくなり、プリント基板３２２ｃが破損するのを防ぐことができる。
【００７５】
このように、ランプホルダ３１０にＬＥＤ基板３２０ａを保持した後にＬＥＤ基板３２０ａが変形および破損する方向に力が加わるのを防止することができる。
【００７６】
また、ランプホルダ３１０の少なくとも１側面を意匠（外郭）面とすることが可能なので、追加の意匠部品が不要とすることができる。
【００７７】
また、ＬＥＤ基板３２０ａをランプホルダ３１０に、容易に取り付けが可能であり、ＬＥＤ基板３２０ａをランプホルダ３１０に取り付け後は、ＬＥＤ基板３２０ａをランプホルダ３１０から容易に取り外しができない構造とすることができる。
【符号の説明】
【００７８】
１０００、１０００ａ  誘導灯、１００、１００ａ  機器本体、１１０、１１０ａ  ケース、１２０  補助金具、１３０  電装部品、１３１  点灯装置、１３２  電源端子台、１３３  電池、１３４  点検用操作部、２００  表示部、２１０  表示板ケース、２２０  導光板、２３０  表示板、３００、３００ａ  ＬＥＤモジュール、３１０  ランプホルダ、３１１ａ、３１１ｂ  ランプホルダ側取付部、３１２  基板押さえ片、３１３  基板位置決め用突起部、３１４  電気的接続用切欠部、３２０、３２０ａ  ＬＥＤ基板、３２１  ＬＥＤ、３２２、３２２ｃ  プリント基板、３２２ａ、３２２ｄ  基板側取付部、３２２ｂ  取付用穴、３２３  電気的接続部。
【図１】
0005589443.tif 000002
【図２】
0005589443.tif 000003
【図３】
0005589443.tif 000004
【図４】
0005589443.tif 000005
【図５】
0005589443.tif 000006
【図６】
0005589443.tif 000007
【図７】
0005589443.tif 000008
【図８】
0005589443.tif 000009